(57)【特許請求の範囲】
【請求項１】
撮像光学系により予定結像面に形成された画像を再結像光学系を用いて第１の検出手段に結像させることで、前記撮像光学系のデフォーカス情報を検出する焦点検出装置において、
ミラーボックスの前記予定結像面近傍にあるミラーボックス下面に焦点検出装置を配し、該ミラーボックスの前記予定結像面近傍にあるミラーボックス下面に形成された視野マスクが指標部材を兼ね、該指標部材の投影像を第２の検出手段により検出し、該検出出力に基づいて当該焦点検出装置の使用環境変化に起因する前記デフォーカス情報のずれ量を算出し、該ずれ量により前記デフォーカス情報を補正する補正手段とを有することを特徴とする撮像装置。
【請求項２】
前記指標部材は、当該焦点検出装置に具備される光学部材よりも前記撮像光学系側に配置されることを特徴とする請求項１に記載の撮像装置。
【請求項３】
前記撮像光学系の焦点状態を検出する第１の検出手段と前記指標部材の投影像を検出する第２の検出手段は、一体に形成された一つの検出手段であり、異なる領域にてそれぞれを検出することを特徴とする請求項１または２に記載の焦点検出装置。
【請求項４】
前記光学部材の前記撮像光学系側の面を略平面で構成し、前記光学部材の前記撮像光学系側の面に遮光パターンを形成することで前記指標部材を構成することを特徴とする請求項２に記載の焦点検出装置。
【発明の詳細な説明】
【０００１】
【発明の属する技術分野】
本発明は、撮像光学系の焦点状態を検出する焦点検出装置、結像光学系の焦点調節量を検出する焦点調節量検出装置、及び撮像装置の改良に関するものである。
【０００２】
【従来の技術】
撮像光学系の異なる領域を通過した光束による像を比較する事により、撮像光学系の焦点調節状態を検出する焦点検出装置においては、各領域の像を形成する再結像光学系の使用環境温度、使用環境湿度などの変化によるずれに伴い、撮像光学系の状態の検出量に誤差が生じてしまっていた。
【０００３】
従来、温度センサは焦点検出以外の用途にも用いられていることから、焦点検出ユニットとは別の場所に設けられている場合があった。そのため、測定した温度と焦点検出装置内の再結像レンズの温度が異なり、該再結像レンズの前記温度変化に伴うずれを正確に温度補正することができなかった。また、温度センサをＡＦセンサに内蔵する方法も提案されているが、そうするとＡＦセンサ自体の発熱により再結像レンズの正確な温度測定ができない虞れがある。
【０００４】
また、特開平１１−１０９２１９号などに示されているように、焦点検出装置に対して、温度検出部材を付加し、間接的に検出した温度に応じて、ピント位置の補正を行っているものが知られている。
【０００５】
また、特願２０００−２６１４９６号に示されている様に、光学部材上にパターンを設け、該パターンの位置を検出する事により、撮像光学系の焦点調節状態に関する情報を補正する補正手段を有するものが知られている。詳しくは、撮影光学系の光路内に配置されている偏向ミラー部材にパターンを配置し、該パターンを検出部材により検出する事で、ミラー部材の変化を検出するものである。
【０００６】
【発明が解決しようとする課題】
しかしながら、前記従来例では、温度検出部材と、被温度検出部材の温度差が発生する事があり、間違った補正となってしまう事があった。
【０００７】
また、温度変化のみ検出を行っていたため、温度以外の環境の変化による変化を検出できないため、温度を正しく検出出来ても、完全に補正する事は不可能であった。
【０００８】
また、上記特願２０００−２６１４９６号に示されている従来例においては、光学部材上にパターンを設け、該パターンに対応する領域を含む部分の光量分布の検出を行っているため、補正手段用のパターンを独自に設ける必要があった。また、移動可能に構成された反射光学部材を被温度検出部材としているので、パターンにずれが生じた場合、補正値に誤差が発生してしまうことがあった。
【０００９】
（発明の目的）
本発明の第１の目的は、温度や湿度など使用環境変化が生じても、焦点検出結果に生じるずれを正確に補正すること、及び指標部材を撮像光路に影響が及ばないような位置に配置することのできる撮像装置を提供しようとするものである。
【００１９】
【課題を解決するための手段】
上記第１の目的を達成するために、請求項１に記載の発明は、撮像光学系により予定結像面に形成された画像を再結像光学系を用いて第１の検出手段に結像させることで、前記撮像光学系のデフォーカス情報を検出する焦点検出装置において、ミラーボックスの前記予定結像面近傍にあるミラーボックス下面に焦点検出装置を配し、該ミラーボックスの前記予定結像面近傍にあるミラーボックス下面に形成された視野マスクが指標部材を兼ね、該指標部材の投影像を第２の検出手段により検出し、該検出出力に基づいて当該焦点検出装置の使用環境変化に起因する前記デフォーカス情報のずれ量を算出し、該ずれ量により前記デフォーカス情報を補正する補正手段とを有する撮像装置とするものである。
【００３１】
【発明の実施の形態】
以下、本発明を図示の実施の形態に基づいて詳細に説明する。
【００３２】
図１は本発明の実施の第１の形態に係る撮像装置の光学配置図である。
【００３３】
図１において、２００は被写体を撮像装置の撮像素子に投影する撮像光学系、２１０は撮像光学系２００を取り付ける撮像装置（本体）である。２２０は撮像光学系２００により被写体像が投影される撮像素子、２３０は撮像光学系２００からの光束を後述の観察光学系に分離する主ミラーであり、該主ミラー２３０は撮像光路外に待避可能に主ミラーヒンジ軸２３１にて保持されている。２４０は撮像光学系２００からの光束を後述の焦点検出装置に導くサブミラーであり、該サブミラー２４０は主ミラー２３０に対して回動可能に保持するサブミラーヒンジ軸２４１にて保持されている。
【００３４】
３００は撮像素子２２０で撮像する画像を観察する観察光学系であり、該観察光学系３００は、正立正像光学系である正立正像光学系３１０、接眼レンズ３２０及び焦点板３３０で構成されている。４００は撮像光学系２００により予定結像面に形成された画像を、再結像光学系を用いて検出手段であるセンサに結像することで、前記撮像光学系２００の焦点状態（デフォーカス情報）を検出する焦点検出装置である。
【００３５】
図２は、上記撮像装置の電気的構成の概略を示すブロック図である。
【００３６】
図２において、１はカメラ全体の制御を司るマイクロプロセッサ、２は測光回路、３は焦点検出回路、４はシャッタ制御回路、５は絞り制御回路であり、何れも公知のものである。
【００３７】
６（ＳＷ１）は測光・焦点検出開始用のスイッチであり、７（ＳＷ２）は撮影動作開始用のスイッチであり、これらスイッチはレリーズボタンの第１ストローク及び第２ストロークによりオンするものである。８はメインスイッチ、９は振れ検出回路、１１はフィルムが装填されるフィルム室の開閉状態を検知する為のフィルム室蓋スイッチ、１２はフィルムカートリッジ１６に具備された情報表示部１７の情報を読み取る為のフィルム情報読み取り回路である。１３はシャッタ秒時や絞り値の表示やフィルムカートリッジ１６の有無、フィルム取出しの警告等を行う表示器やその駆動回路を具備した表示装置である。１４（ＲＥＷ）はフィルムの途中巻戻し開始を指示する途中巻戻しスイッチである。１５はフィルムの巻き上げや巻き戻しを行う為のモータ駆動回路であり、詳しくはフィルムＦをフィルム巻取りスプール１９により巻き取り、又フィルムカートリッジ１６内のフィルム供給スプールをフィルム巻き戻し方向に駆動してフィルムＦを該フィルムカートリッジ１６内に巻き戻す働きを持つ。
【００３８】
１７は前述したようにフィルムカートリッジ１６に具備されたフィルム情報表示部である。１８はフィルムＦに形成されたパーフォレーションを検出するパーフォレーション検出回路であり、例えばフォトリフレクタの投光部と受光部で構成され、フィルムのパーフォレーションの有無を検出する。２０はピント合わせの為のレンズ駆動回路である。
【００３９】
図３は上記撮像装置に具備される焦点検出装置４００の構成を示す分解斜視図であり、図４は図３に示す本体ブロックを拡大して示す斜視図、図５は図３に示す焦点検出装置４００に具備される赤外カットフィルタの装着部分を示す構成図である。
【００４０】
これらの図において、本体ブロック１１２０には、図４に示す様に、焦点検出装置の各種構成部材の位置決め、それを固定するための各種位置決め形状、及び、固定形状が備えられている。赤外カットフィルタ１０５０は、本体ブロック１１２０に備えられている赤外カットフィルタ位置決め固定部１１２１に対して装着されることにより、本体ブロック１１２０に対して位置決めされており、前記赤外カットフィルタ位置決め固定部１１２１の周囲に設けられている複数の赤外カットフィルタ接着部１１２２にて、該赤外カットフィルタ１０５０は前記本体ブロック１１２０に対して接着固定されている。
【００４１】
遮光板１０３０は、該遮光板１０３０に設けられている遮光板位置決め固定部１０３１と、本体ブロック１１２０に設けられている該遮光板１０３０を位置決め固定するための遮光板位置決め固定部１１２３により、本体ブロック１１２０に対して位置決めされて該本体ブロック１１２０の内部に装着されており、本体ブロック１１２０に対して接着固定され、フィールドレンズ１０２０を通過した各焦点検出視野の有効光束以外の不要な光束が、他の焦点検出視野のセンサ領域に対して入射することを防止する壁１０３２、及び、壁１０３３を持っており、これら壁１０３２と壁１０３３の間には、焦点検出光束を通過させるための開口部１０３４が形成されている。
【００４２】
前記フィールドレンズ１０２０は、各種調整が行われた後、本体ブロック１１２０に設けられている分割フィールドレンズ固定部１１２４により、本体ブロック１１２０に対して接着固定されている。
【００４３】
視野マスク１０１０は、該視野マスク１０１０に設けられている一対の視野マスク位置決め用嵌合軸１０１１と本体ブロック１１２０に設けられている該視野マスク１０１０の取付面内の平面移動を規制する視野マスク位置決め嵌合穴１１２５とこの視野マスク位置決め嵌合穴１１２５に対する回転移動を規制する視野マスク位置決め嵌合長穴１１２６からなる一対の嵌合穴とにより、前記本体ブロック１１２０に対して位置決めされており、該視野マスク１０１０に設けられている一対の視野マスク固定用弾性爪部１０１２を、本体ブロック１１２０に設けられている一対の視野マスク固定用穴部１１２７に対して係合させることにより、該視野マスク１０１０は本体ブロック１１２０に対して固定されている。また、視野マスク１０１０には、焦点検出装置を構成するユニットをカメラに取り付けた後は、該視野マスク１０１０に設けられている一対の視野マスク固定用弾性爪部１０１２と本体ブロック１１２０に設けられている一対の視野マスク固定用穴部１１２７の係合が外れた場合においても、該視野マスク１０１０が本体ブロック１１２０から浮き上がることがないようにするために、該視野マスク１０１０には視野マスク浮き防止部１０１３が設けられている。
【００４４】
ここで、視野マスク浮き防止部１０１３はカメラのミラーボックスと焦点検出装置の隙間を減少させる役目も持っている。
【００４５】
１０１４は視野マスク１０１０に設けられている視野マスク開口部であり、検出範囲を規定している。また、本実施の第１の形態では、視野マスク開口部１０１４は、補正データを検出するための指標部材も構成している。
【００４６】
遮光シート１１１０は、該遮光シート１１１０に設けられている遮光シート位置決め用の一対の穴１１１１と、視野マスク１０１０に設けられている一対の遮光シート位置決め用形状により位置決めされて、視野マスク１０１０と本体ブロック１１２０により挟まれることにより、本体ブロック１１２０に対して固定されている。
【００４７】
ミラー１０４０は、本体ブロック１１２０に設けられているミラー位置決め固定部１１３４により位置決めされて、本体ブロック１１２０に対して接着固定されている。該ミラー１０４０の表面には、各焦点検出視野に対する不要な光束を遮光するためのマスク形状を持つ遮光マスク部１０４１が付加されており、焦点検出光束をセンサに対して折り曲げる際に、遮光板１０３０とミラー１０４０の隙間を通過する不要な光束を遮光しており、該遮光マスク部１０４１は、周辺の焦点検出視野に対応するセンサのセンサ（画素）列方向に対して略平行に形成されており、焦点検光束の分割方向には遮光パターンが存在していないので、パターンエッジ部での反射によるゴーストが発生しなくなっている。
【００４８】
再結像光学系であるところの再結像レンズ１０７０は、一対の嵌合軸１０７１により、本体ブロック１１２０の再結像レンズ位置決め角穴１１３１と再結像レンズ位置決め長穴１１３２からなる一対の嵌合穴で位置決めされており、本体ブロック１１２０に対して接着固定されている。多孔絞り１０６０は、再結像レンズ１０７０に設けられている嵌合軸１０７１に対応している位置決め部１０６１により、再結像レンズ１０７０に対して位置決めされており、再結像レンズ１０７０と本体ブロック１１２０に挟まれることで、本体ブロック１１２０に対して保持されている。
【００４９】
センサ支持部材１１００は、該センサ支持部材１１００に設けられている位置決め調整するための、一対の同一中心軸を持つ球形状の本体ブロック突き当て形状１１０１と、本体ブロック１１２０に設けられているＲ１及びＲ２の複数の曲率により構成されるセンサ支持部材支持形状１１５１により、該センサ支持部材支持形状１１５１の曲率Ｒ２及び本体ブロック突き当て形状１１０１の曲率Ｒ１を中心として揺動可能に位置決めされることにより、複数の軸に対する傾き調整が可能であり、センサ傾き調整など各種調整が行われた後に、本体ブロック１１２０に対して接着固定されている。
【００５０】
検出手段であるところのセンサ（ラインセンサ）１０９０は、センサホルダー１０８０に対してあらかじめ接着固定しておく事により、センサホルダー１０８０と該センサ１０９０が一体になったセンサユニットとなる。１３００は前記センサ１０９０とカメラのマイクロプセッサ１を結ぶ回路基板である。
【００５１】
前記センサユニット（センサホルダー１０８０とセンサ１０９０が一体となって成る）は、本体ブロック１１２０に対してセンサ支持部材１１００を介して保持し、センサ傾き調整及び位置調整などの各種調整が行われた後、センサ支持部材１１００に対して接着固定されている。前記センサホルダー１０８０には、センサ支持部材１１００の接着面に、接着剤を導くための溝が形成されている。
【００５２】
図６は上記焦点検出装置の主要部分の光学配置を示す斜視図であり、同図においては、一対の再結像光学系を具備した焦点検出装置を示している。
【００５３】
図６には、図３及び図５に示した、視野マスク１０１０、フィールドレンズ１０２０、多孔絞り１０６０、再結像レンズ１０７０、センサ１０９０を簡略化している。
【００５４】
本実施の第１の形態におけるセンサ１０９０には、少なくとも一対のセンサ列１０９１が形成されており、このセンサ列１０９１は、被写体の焦点検出状態の検出範囲よりも広い検出範囲を実現しており、視野マスク１０１０近傍に形成された被写体像の再結像レンズ１０７０による再結像された像を検出すると共に、視野マスク１０１０にて構成されている指標部材である視野マスク開口部１０１４のエッジ像を検出する。
【００５５】
前記センサ列１０９１を視野マスク１０１０上に逆投影した像が１０１５となり、該センサ列１０９１は視野マスク開口部１０１４の指標となるエッジの像（視野マスク開口部１０１４により遮光された暗部と撮像光学系からの光束が通過する該視野マスク開口部１０１４の明部で形成される像を意味する）を検出している。
【００５６】
本実施の第１の形態では、上記視野マスク開口部１０１４のエッジの像と指標部材である該視野マスク開口部１０１４の予め設定されているエッジの像の基準値との差分から、指標部材の温度や湿度や湿度等の環境変化に起因する状態変化、つまりデフォーカス情報の補正値（ずれ量）を求め、該補正値により、焦点検出装置にて検出されるデフォーカス情報の補正を行うようにしている。
【００５７】
図７は上記構成の焦点検出装置に具備される検出手段であるところのセンサの一例を示す図であり、センサ２０００には、一対のセンサ列２０１０が形成されている場合を示している。
【００５８】
センサ列２０１０において、２０３０は撮像光学系による被写体像の状態を検出する焦点検出領域であり、２０２０は焦点検出装置の状態の変化を検出し焦点検出領域２０２０の検出結果を補正する補正量を検出する、詳しくは前記視野マスク開口部のエッジの像を検出する為の補正量検出領域である。２０４０は焦点検出装置の検出範囲を規定する視野マスク像（視野マスク開口部の像）であり、視野マスク１０１０による被写体像の投影範囲を示しており、視野マスク像２０４０の外には被写体像は形成されないように構成している。
【００５９】
本実施の第１の形態の焦点検出装置においては、補正量検出領域２０２０を、図７にて示している様に、センサ列２０１０を視野マスクにより規定した検出視野外まで延長することで、焦点検出装置の焦点検出範囲を規定している視野マスク像２０４０（詳しくは前記エッジの像）を検出するように構成している。視野マスク１０１０は、上記のように焦点検出装置に対して固定されているため、常に一定の指標部材として用いる事が可能となっている。
【００６０】
図７においては、一対のセンサ列２０１０を持つセンサ２０００について説明したが、センサ列を複数対持つ焦点検出装置についても適用できるのは言うまでもない。
【００６１】
図８は本実施の形態における撮像装置の焦点検出動作を示すフローチャートであり、以下これに従って説明する。
【００６２】
まず、ステップＳ１００において、検出手段（センサ２０００）により被写体像の検出を行う。そして、次のステップＳ２００において、指標部材である視野マスク開口部１０１４のエッジの像（以下、「指標部材の像」と記す）の検出を行う。次のステップＳ３００においては、上記ステップＳ２００で検出した指標部材の像を用いて、具体的には以下のようにして補正量の演算を行う。
【００６３】
まず、上記ステップＳ２００にて図７に示した補正量検出領域２０２０により検出した指標部材の複数の検出像を比較し、該検出像の間隔の算出を行う。この検出像の間隔の算出は、複数の検出像が一致する像位置を検出することで行う。検出像の間隔算出が完了したら、次に、予め設定されている指標部材の像間隔の基準値に対する差分量を算出し、これを補正量の算出値とする。
【００６４】
次のステップＳ４００においては、上記ステップＳ１００にて検出した被写体像を用いて、検出デフォーカス量の演算を行う。そして、次のステップＳ５００において、上記ステップＳ３００にて演算した補正量と上記ステップＳ４００にて演算した検出デフォーカス量より、実際に撮像光学系の駆動を行う制御デフォーカス量の演算を行う。そして、次のステップＳ６００において、撮像光学系が合焦状態であるか否かの判定を行い、撮像光学系が合焦状態であると判定するとメインルーチンに復帰する。一方、撮像光学系が合焦状態では無いと判定した場合はステップＳ７００へ進み、撮像光学系の駆動を行い、ステップＳ１００に戻る。
【００６５】
（実施の第２の形態）
図９は本発明の実施の第２の形態に係る撮像装置における焦点検出動作を示すフローチャートであり、以下これに従って説明する。なお、撮影装置の構成は上記実施の第１の形態と同様であるものとする。
【００６６】
図９においては、まずステップＳ１１００において、検出手段により像の検出を行う。そして、次のステップＳ１２００において、上記ステップＳ１１００の検出像から、撮像光学系の焦点状態検出に用いる被写体領域の抽出を行う。続くステップＳ１３００においては、上記ステップＳ１１００の検出像から指標領域の抽出を行う。そして、ステップＳ１４００において、上記ステップＳ１３００で抽出した指標像を用いて、焦点検出装置の補正量の演算を行う。具体的には、上記ステップＳ１３００にて図７に示した補正量検出領域２０２０の像を、上記ステップＳ１１００にて行ったセンサ列２０１０による検出像の中から上記ステップＳ１３００にて抽出した指標部材の複数の検出像を比較し、該検出像の間隔の算出を行う。詳しくは、ステップＳ１１００にて得た検出像の中からステップＳ１３００にて指標の像領域を抽出して切り出し、切り出した像を比較することで、指標像の間隔の算出を行う。なお、上記実施の第１の形態における図８のステップＳ１００〜Ｓ３００では、被写体像と指標像を二回に分けて検出するように構成した場合を示していたが、上記ステップＳ１１００〜Ｓ１３００では、被写写体像と指標像を一回の検出で得て、その像の中から各領域を抽出する場合を示している。
【００６７】
上記検出像の間隔の算出は、複数の検出像が一致する像位置を検出することで行う。検出像の間隔算出が完了したら、次に、予め設定されている指標部材の像間隔の基準値に対する差分量を算出し、これを補正量の算出値とする。
【００６８】
次のステップＳ１５００においては、上記ステップＳ１２００で抽出した被写体像を用いて、検出デフォーカス量の演算を行う。そして、ステップＳ１６００において、上記ステップＳ１４００で求めた補正量と上記ステップＳ１５００で求めた検出デフォーカス量より実際の撮像光学系の駆動量である制御デフォーカス量の演算を行う。続くステップＳ１７００においては、撮像光学系が合焦状態であるか否かの判定を行い、撮像光学系が合焦状態であると判定した場合にはメインルーチンに復帰する。一方、撮像光学系が合焦状態では無いと判定した場合はステップＳ１８００へ進み、撮像光学系の駆動を行い、ステップＳ１１００に戻る。
【００６９】
（実施の第３の形態）
図１０は本発明の実施の第３の形態に係る焦点検出装置を示す斜視図であり、上記実施の第１の形態における指標部材とは別の構成の指標部材を説明する為のものである。上記図３と同じ部分は同一符号を付し、その説明は省略する。
【００７０】
図１０において、視野マスク３０１０は、該視野マスク３０１０に設けられている一対の視野マスク位置決め用嵌合軸（図１０では不図示）と本体ブロック１１２０に設けられている視野マスク３０１０の取付面内の平面移動を規制する視野マスク位置決め嵌合穴１１２５とこの視野マスク位置決め嵌合穴１１２５に対する回転移動を規制する視野マスク位置決め嵌合長穴１１２６からなる一対の嵌合穴とにより、本体ブロック１１２０に対して位置決めされており、該視野マスク３０１０に設けられている一対の視野マスク固定用弾性爪部３０１２を、本体ブロック１１２０に設けられている一対の視野マスク固定用穴部１１２７に対して係合させることにより、該視野マスク３０１０は本体ブロック１１２０に対して固定されている。また、該視野マスク３０１０には、焦点検出装置を構成するユニットをカメラに取り付けた後は、該視野マスク３０１０に設けられている一対の視野マスク固定用弾性爪部３０１２と本体ブロック１１２０に設けられている一対の視野マスク固定用穴部１１２７の係合が外れた場合においても、該視野マスク３０１０が、本体ブロック１１２０から浮き上がることがないようにするために、該視野マスク３０１０には、視野マスク浮き防止部３０１３が設けられている。
【００７１】
ここで、視野マスク浮き防止部３０１３はカメラのミラーボックスと焦点検出装置の隙間を減少させる役目も持っている。
【００７２】
３０１４は視野マスク３０１０に設けられている視野マスク開口部である。
【００７３】
本実施の第３の形態においては、検出光束の赤外光成分を除去する赤外カットフィルタ３０５０（図１の１０５０に相当する）が、視野マスク３０１０とフイールドレンズ１０２０の間に配置されている。この様に配置する事により、赤外カットフィルタ３０５０を撮像光学系の予定結像面近傍に配置している。そして、この赤外カットフィルタ３０５０には指標パターン３０５１が形成されており、これが指標部材を構成し、該指標部材（指標パターン３０５１）をセンサ１０９０で検出する事により、焦点検出装置の検出結果を補正する補正量を得るように構成している。また、指標パターン３０５１を検出視野の形状とする事で、前記視野マスク３０１０と共に、図３の視野マスク１０１０と同様の本来の視野マスクを構成している。
【００７４】
（実施の第４の形態）
図１１は本発明の実施の第４の形態に係る焦点検出装置を示す斜視図であり、上記実施の第１、第２の形態における指標部材とは別の構成の指標部材を説明する為のものである。上記図３と同じ部分は同一符号を付し、その説明は省略する。
【００７５】
図１１において、視野マスク４０１０は、該視野マスク４０１０に設けられている一対の視野マスク位置決め用嵌合軸（図１１では不図示）と本体ブロック１１２０に設けられている視野マスク４０１０の取付面内の平面移動を規制する視野マスク位置決め嵌合穴１１２５とこの視野マスク位置決め嵌合穴１１２５に対する回転移動を規制する視野マスク位置決め嵌合長穴１１２６からなる一対の嵌合穴とにより、本体ブロック１１２０に対して位置決めされており、視野マスク４０１０に設けられている一対の視野マスク固定用弾性爪部４０１２を、本体ブロック１１２０に設けられている一対の視野マスク固定用穴部１１２７に対して係合させることにより、該視野マスク４０１０は本体ブロック１１２０に対して固定されている。また、該視野マスク４０１０には焦点検出装置を構成するユニットをカメラに取り付けた後は、該視野マスク４０１０に設けられている一対の視野マスク固定用弾性爪部４０１２と本体ブロック１１２０に設けられている一対の視野マスク固定用穴部１１２７の係合が外れた場合においても、該視野マスク４０１０が、本体ブロック１１２０から浮き上がることがないようにするために、該視野マスク４０１０には視野マスク浮き防止部４０１３が設けられている。
【００７６】
ここで、視野マスク浮き防止部４０１３はカメラのミラーボックスと焦点検出装置の隙間を減少させる役目も持っている。
【００７７】
４０１４は、視野マスク４０１０に設けられている視野マスク開口部である。
【００７８】
本実施の第４の形態において、焦点検出装置の状態検出を行うための指標部材である指標パターン４０２１は、撮像光学系と再結像光学系を結像関係に構成しているコンデンサレンズであるところのフィールドレンズ４０２０に設けられている。
【００７９】
また、本実施の第４の形態のフィールドレンズ４０２０は撮像光学系からの光束が入射する面（第一面）が略平面で構成されており、このフィールドレンズ４０２０の第一面に対して、指標パターン４０２１が形成されている。本実施の形態の指標パターン４０２１は、フィールドレンズ４０２０に対して遮光部材を印刷することにより形成されており、同時に、検出視野を規定する視野マスクとしても用いる事が出来るように構成されている。
【００８０】
（実施の第５の形態）
図１２は本発明の実施の第５の形態に係る撮像装置の焦点検出装置取り付け面に対して形成されている指標部材の構成を示す斜視図であり、撮像装置のミラーボックス内部を示すものである。
【００８１】
図１２において、５０１０は不図示の撮像光学系からの光束を不図示の観察光学系であるファインダ光学系と検出手段に対して分割するメインミラー部材であり、５０２０はメインミラー部材５０１０にて分割した光束を焦点検出装置に対して導くために偏向するサブミラーであり、ミラーボックス下面に対して撮像光束を導いている。
【００８２】
５０３０はミラーボックスであり、該ミラーボックス５０３０の焦点検出装置取り付け面には、焦点検出装置の検出視野を規定する視野マスクの少なくとも一部を構成する指標部材５０４０が形成されており、このように指標部材として用いると共に、視野マスクとしても用いられるように構成されている。
【００８３】
５１００は不図示の撮像光学系を保持するためのマウント部材、５１１０は撮像素子、５１２０は撮像素子５１１０を遮光し、検出時に開放するシャッタ部材である。５２００は撮像光学系の状態を検出する焦点検出装置である。
【００８４】
本実施の第５の形態においては、ミラーボックス５０３０の焦点検出装置取り付け面に対して指標部材５０４０が形成されており、視野マスクを兼ねているので、焦点検出装置５２００に対して、新たに視野マスクを付加する必要が無い。
【００８５】
以上の実施の各形態によれば、視野マスクなど、焦点検出装置を構成している遮光部材で指標部材を構成する、或いは、光学部材上に設ける場合にも、従来から存在している遮光部材を兼用する事が可能となる様にし、検出光学系により形成された遮光部材の画像（投影像）を直接用いて温度や湿度等に起因する焦点検出装置の検出結果に与える量を直接測定し、これに基づいて補正量（ずれ量）を算出する構成しているので、新たに指標部材としてのパターン等を設ける事無しに、デフォーカス情報の検出精度と同一精度で補正量を検出可能となる。
【００８６】
よって、焦点検出時に、実際の状態と焦点検出装置（再結像光学系等）の状態のずれによる誤差も発生せず、温度、湿度など多岐の要因による該焦点検出装置の焦点検出結果であるデフォーカス情報のずれを良好に補正することができる。
【００８７】
更に詳しくは、以下の様な効果を有するものとなる。
【００８８】
１）予定結像面近傍に配置した指標部材（図３では視野マスク開口部１０１４、図１０では指標パターン３０５１、図１１では指標パターン４０２１）のエッジの像（投影像）を検出手段であるセンサにより検出し、この検出出力に基づいて焦点検出結果の補正量を算出し、該補正量によりデフォーカス情報の補正を行うようにしているので、従来排除不能であった、温度センサと実際の温度のずれによる誤差、湿度に対する誤差、その他誤差の排除が可能となり、焦点検出結果に生じるずれを正確に補正する事が可能となる。
【００８９】
２）前記指標部材を、図１に示すように、撮像光学系の予定結像面よりも検出手段側に配置することにより、主要被写体像よりも近い位置に指標部材の像が形成されて、双方の像に差が生じる様に出来る（これにより、補正量を算出し易くなる）と共に、撮像光路に影響が及ばないように配置する事が可能となる。別言すれば、指標部材を被写体側に投影した場合の像が、被写体像よりも撮像装置に近い位置に形成される為、指標部材の検出像が背景の像と分離される。これにより、被写体像と指標像の分離が可能となり、指標像の誤検出を防止することができる。
【００９０】
３）前記指標部材は、何れも焦点検出装置の構成部材の一つを兼用するものであり、該装置に固定されているので、補正のための指標部材として安定したものとなり、ずれを防止する事が可能となる。
【００９１】
４）前記指標部材を、遮光機能を有する視野マスク等で構成しているので、指標部材としての機能のみでなく、不要な光束を除去する機能も有する。
【００９２】
５）前記指標部材を、再結像光学系が検出する範囲を制限する視野絞りにより構成しているので、新たに指標部材を追加する事無く、補正量の検出を実現する事が可能となる。
【００９３】
６）前記指標部材を、ミラーボックスにて構成しているので、新たな指標部材を追加する必要が無いだけでなく、予定結像面により近い位置に配置出来るので、指標部材の投影像をぼけの少ない状態で検出する事が可能となる。
【００９４】
７）前記指標部材を、焦点検出装置取り付け面に形成する構成にしているので、新たな指標部材を追加する必要が無いだけでなく、予定結像面により近い位置に配置出来るので、指標部材をボケの少ない状態で検出する事が可能となる。
【００９５】
８）前記指標部材を、焦点検出装置の光学部材よりも撮像光学系側に配置した構成（詳しくは、図３では、フィールドレンズ１０２０よりも撮影光学系側に視野マスク１０１０を配置し、図１０では、赤外カットフィルタ３０５０よりも撮像光学系側に指標パターン３０５１を配置し、図１１では、フィールドレンズ４０２０よりも撮影光学系側に指標パターン４０２１を配置した構成）にしているので、検出手段により前記光学部材のずれをすべて検出可能となる。
【００９６】
９）前記検出手段を、撮像光学系の焦点状態を検出する手段と前記指標部材の状態を検出する手段に兼用しているので、別言すれば、一つのセンサにてそれぞれを検出するようにしていので、デフォーカス情報とその補正値を同時に検出する事が可能となる。
【００９７】
１０）前記指標部材を、予定結像面に最も近接した光学部材に形成しているので、指標部材の検出をボケの少ない状態で行う事が可能となる。
【００９８】
（変形例）
以上の実施の各形態においては、フイルムを用いたカメラの焦点検出装置について説明してきたが、測距装置にも適用できるものである。
【００９９】
また、デジタルカメラなど、磁気、電気など異なる種類の記録媒体に記録を行う撮像装置に対しても適用できる事は言うまでも無い。
【０１００】
また、デフォーカス情報の検出と指標部材の投影像の検出を一つのセンサにより行うようにしているが、これに限定されるものではなく、別々に有する構造であっても良い。
【０１０１】
また、指標部材のエッジの像（投影像）を検出し、デフォーカス情報の補正量（ずれ量）を算出するようにしているが、前記エッジの像に限定されるものではなく、焦点検出装置を構成する部材の一つを利用し、温度等により変化する位置変化を検出可能な投影像を形成するものであれば良い。
【０１０２】
【発明の効果】
以上説明したように、本願発明によれば、温度や湿度など使用環境変化が生じても、焦点検出結果に生じるずれを正確に補正することができ、指標部材を撮像光路に影響が及ばないような位置に配置することができる撮像装置を提供できるものである。
【図面の簡単な説明】
【図１】本発明の実施の第１の形態に係る撮像装置の光学配置図である。
【図２】本発明の実施の第１の形態に係る撮像装置の電気的構成の概略を示すブロック図である。
【図３】本発明の実施の第１の形態に係る焦点検出装置の構成を示す分解斜視図である。
【図４】図３の本体ブロックを拡大して示す斜視図である。
【図５】図３の焦点検出装置に具備される赤外カットフィルタの装着部分を示す構成図である。
【図６】図５の焦点検出装置の主要部分の光学配置を示す斜視図である。
【図７】本発明の実施の第１の形態ににおいてセンサ上に形成される画像を示す図である。
【図８】本発明の実施の第１の形態に係る撮像装置の焦点検出動作を示すフローチャートである。
【図９】本発明の実施の第２の形態に係る撮像装置の焦点検出動作を示すフローチャートである。
【図１０】本発明の実施の第３の形態に係る焦点検出装置の分解斜視図である。
【図１１】本発明の実施の第４の形態に係る焦点検出装置の分解斜視図である。
【図１２】本発明の実施の第５の形態に係る焦点検出装置のミラーボックスを示す斜視図である。
【符号の説明】
１                  マイクロプロセッサ
３                  焦点検出回路
１０１０            視野マスク
１０２０，４０２０  フィールドレンズ
１０１４            視野マスク開口部
３０５０            赤外カットフィルタ
３０５１，４０２１  指標パターン
４００              焦点検出装置
５０４１            指標部材
【図１】
0004829423.tif 000002
【図２】
0004829423.tif 000003
【図３】
0004829423.tif 000004
【図４】
0004829423.tif 000005
【図５】
0004829423.tif 000006
【図６】
0004829423.tif 000007
【図７】
0004829423.tif 000008
【図８】
0004829423.tif 000009
【図９】
0004829423.tif 000010
【図１０】
0004829423.tif 000011
【図１１】
0004829423.tif 000012
【図１２】
0004829423.tif 000013